(57)【要約】【課題】顧客対面機器の利用者に対して過去の販売等の履歴に応じた適切な広告を表示することのできる広告提供装置を提供する。【解決手段】広告表示部を備えた顧客対面機器に備えられたカメラから利用者の画像を取り込む手段と、取り込んだ画像から利用者の顔画像を抽出する手段と、抽出した顔画像に対応付けられた販売等の情報に基づいて適切な広告を決定する手段と、決定された広告のデータを上記顧客対面機器の広告表示部に提供する手段と、上記顧客対面機器における販売等の情報を取り込む手段と、抽出した顔画像に、カメラの設置場所および撮影日時に基づき、取り込んだ販売等の情報を対応付ける手段とを備える。【選択図】図１
2008217458.tif 000002
【特許請求の範囲】
【請求項１】
広告表示部を備えた顧客対面機器に備えられたカメラから利用者の画像を取り込む手段と、
取り込んだ画像から利用者の顔画像を抽出する手段と、
抽出した顔画像に対応付けられた販売等の情報に基づいて適切な広告を決定する手段と、
決定された広告のデータを上記顧客対面機器の広告表示部に提供する手段と、
上記顧客対面機器における販売等の情報を取り込む手段と、
抽出した顔画像に、カメラの設置場所および撮影日時に基づき、取り込んだ販売等の情報を対応付ける手段とを備えたことを特徴とする広告提供装置。
【請求項２】
広告表示部を備えた第１の顧客対面機器および広告表示部の有無を問わない第２の顧客対面機器に備えられたカメラから利用者の画像を取り込む手段と、
取り込んだ画像から利用者の顔画像を抽出する手段と、
上記第１の顧客対面機器のカメラの画像から抽出した顔画像に対応付けられた販売等の情報に基づいて適切な広告を決定する手段と、
決定された広告のデータを上記第１の顧客対面機器の広告表示部に提供する手段と、
上記第２の顧客対面機器における販売等の情報を取り込む手段と、
上記第２の顧客対面機器のカメラの画像から抽出した顔画像に、カメラの設置場所および撮影日時に基づき、取り込んだ販売等の情報を対応付ける手段とを備えたことを特徴とする広告提供装置。
【請求項３】
広告表示部を備えた顧客対面機器に備えられたカメラから利用者の画像を取り込む工程と、
取り込んだ画像から利用者の顔画像を抽出する工程と、
抽出した顔画像に対応付けられた販売等の情報に基づいて適切な広告を決定する工程と、
決定された広告のデータを上記顧客対面機器の広告表示部に提供する工程と、
上記顧客対面機器における販売等の情報を取り込む工程と、
抽出した顔画像に、カメラの設置場所および撮影日時に基づき、取り込んだ販売等の情報を対応付ける工程とを備えたことを特徴とする広告提供制御方法。
【請求項４】
広告表示部を備えた第１の顧客対面機器および広告表示部の有無を問わない第２の顧客対面機器に備えられたカメラから利用者の画像を取り込む工程と、
取り込んだ画像から利用者の顔画像を抽出する工程と、
上記第１の顧客対面機器のカメラの画像から抽出した顔画像に対応付けられた販売等の情報に基づいて適切な広告を決定する工程と、
決定された広告のデータを上記第１の顧客対面機器の広告表示部に提供する工程と、
上記第２の顧客対面機器における販売等の情報を取り込む工程と、
上記第２の顧客対面機器のカメラの画像から抽出した顔画像に、カメラの設置場所および撮影日時に基づき、取り込んだ販売等の情報を対応付ける工程とを備えたことを特徴とする広告提供制御方法。
【請求項５】
コンピュータを、
広告表示部を備えた顧客対面機器に備えられたカメラから利用者の画像を取り込む手段、
取り込んだ画像から利用者の顔画像を抽出する手段、
抽出した顔画像に対応付けられた販売等の情報に基づいて適切な広告を決定する手段、
決定された広告のデータを上記顧客対面機器の広告表示部に提供する手段、
上記顧客対面機器における販売等の情報を取り込む手段、
抽出した顔画像に、カメラの設置場所および撮影日時に基づき、取り込んだ販売等の情報を対応付ける手段、
として機能させることを特徴とする広告提供制御プログラム。
【請求項６】
コンピュータを、
広告表示部を備えた第１の顧客対面機器および広告表示部の有無を問わない第２の顧客対面機器に備えられたカメラから利用者の画像を取り込む手段、
取り込んだ画像から利用者の顔画像を抽出する手段、
上記第１の顧客対面機器のカメラの画像から抽出した顔画像に対応付けられた販売等の情報に基づいて適切な広告を決定する手段、
決定された広告のデータを上記第１の顧客対面機器の広告表示部に提供する手段、
上記第２の顧客対面機器における販売等の情報を取り込む手段、
上記第２の顧客対面機器のカメラの画像から抽出した顔画像に、カメラの設置場所および撮影日時に基づき、取り込んだ販売等の情報を対応付ける手段、
として機能させることを特徴とする広告提供制御プログラム。
【発明の詳細な説明】
【技術分野】
【０００１】
本発明は、自動販売機、ＰＯＳ（Point Of Sales）レジスタ、パチンコ機等の顧客対面機器にネットワーク経由で広告を表示させる広告提供装置に関する。
【背景技術】
【０００２】
自動販売機の前面や側面の部分は広告用のスペースとして活用されており、昨今では電子式のディスプレイによる広告も行われるようになっている（例えば、特許文献１を参照。）。
【０００３】
また、コンビニエンスストアのＰＯＳレジスタ等においても、顧客から見える側にディスプレイを設け、金額表示とともに広告を電子的に表示するようにしたものが普及している（例えば、特許文献２を参照。）。
【特許文献１】特開平５−２６６３４１号公報
【特許文献２】特開平１０−３０７９７０号公報
【発明の開示】
【発明が解決しようとする課題】
【０００４】
上述したように、自動販売機やＰＯＳレジスタ等の顧客対面機器において電子的に広告を表示するものが従来から存在しており、広告の内容は商品キャンペーン等の企画に応じて適宜に切り替えられていくものではあるが、利用者によらず一律の広告が表示されるものであり、個人個人の嗜好が多様化している今日では広告効果があまり上がらないという問題があった。
【０００５】
本発明は上記の従来の問題点に鑑み提案されたものであり、その目的とするところは、顧客対面機器の利用者に対して過去の販売等の履歴に応じた適切な広告を表示することのできる広告提供装置を提供することにある。
【課題を解決するための手段】
【０００６】
上記の課題を解決するため、本発明にあっては、請求項１に記載されるように、広告表示部を備えた顧客対面機器に備えられたカメラから利用者の画像を取り込む手段と、取り込んだ画像から利用者の顔画像を抽出する手段と、抽出した顔画像に対応付けられた販売等の情報に基づいて適切な広告を決定する手段と、決定された広告のデータを上記顧客対面機器の広告表示部に提供する手段と、上記顧客対面機器における販売等の情報を取り込む手段と、抽出した顔画像に、カメラの設置場所および撮影日時に基づき、取り込んだ販売等の情報を対応付ける手段とを備える広告提供装置を要旨としている。
【０００７】
また、請求項２に記載されるように、広告表示部を備えた第１の顧客対面機器および広告表示部の有無を問わない第２の顧客対面機器に備えられたカメラから利用者の画像を取り込む手段と、取り込んだ画像から利用者の顔画像を抽出する手段と、上記第１の顧客対面機器のカメラの画像から抽出した顔画像に対応付けられた販売等の情報に基づいて適切な広告を決定する手段と、決定された広告のデータを上記第１の顧客対面機器の広告表示部に提供する手段と、上記第２の顧客対面機器における販売等の情報を取り込む手段と、上記第２の顧客対面機器のカメラの画像から抽出した顔画像に、カメラの設置場所および撮影日時に基づき、取り込んだ販売等の情報を対応付ける手段とを備える広告提供装置として構成することができる。
【０００８】
また、請求項３に記載されるように、広告表示部を備えた顧客対面機器に備えられたカメラから利用者の画像を取り込む工程と、取り込んだ画像から利用者の顔画像を抽出する工程と、抽出した顔画像に対応付けられた販売等の情報に基づいて適切な広告を決定する工程と、決定された広告のデータを上記顧客対面機器の広告表示部に提供する工程と、上記顧客対面機器における販売等の情報を取り込む工程と、抽出した顔画像に、カメラの設置場所および撮影日時に基づき、取り込んだ販売等の情報を対応付ける工程とを備える広告提供制御方法として構成することができる。
【０００９】
また、請求項４に記載されるように、広告表示部を備えた第１の顧客対面機器および広告表示部の有無を問わない第２の顧客対面機器に備えられたカメラから利用者の画像を取り込む工程と、取り込んだ画像から利用者の顔画像を抽出する工程と、上記第１の顧客対面機器のカメラの画像から抽出した顔画像に対応付けられた販売等の情報に基づいて適切な広告を決定する工程と、決定された広告のデータを上記第１の顧客対面機器の広告表示部に提供する工程と、上記第２の顧客対面機器における販売等の情報を取り込む工程と、上記第２の顧客対面機器のカメラの画像から抽出した顔画像に、カメラの設置場所および撮影日時に基づき、取り込んだ販売等の情報を対応付ける工程とを備える広告提供制御方法として構成することができる。
【００１０】
また、請求項５に記載されるように、コンピュータを、広告表示部を備えた顧客対面機器に備えられたカメラから利用者の画像を取り込む手段、取り込んだ画像から利用者の顔画像を抽出する手段、抽出した顔画像に対応付けられた販売等の情報に基づいて適切な広告を決定する手段、決定された広告のデータを上記顧客対面機器の広告表示部に提供する手段、上記顧客対面機器における販売等の情報を取り込む手段、抽出した顔画像に、カメラの設置場所および撮影日時に基づき、取り込んだ販売等の情報を対応付ける手段、として機能させる広告提供制御プログラムとして構成することができる。
【００１１】
また、請求項６に記載されるように、コンピュータを、広告表示部を備えた第１の顧客対面機器および広告表示部の有無を問わない第２の顧客対面機器に備えられたカメラから利用者の画像を取り込む手段、取り込んだ画像から利用者の顔画像を抽出する手段、上記第１の顧客対面機器のカメラの画像から抽出した顔画像に対応付けられた販売等の情報に基づいて適切な広告を決定する手段、決定された広告のデータを上記第１の顧客対面機器の広告表示部に提供する手段、上記第２の顧客対面機器における販売等の情報を取り込む手段、上記第２の顧客対面機器のカメラの画像から抽出した顔画像に、カメラの設置場所および撮影日時に基づき、取り込んだ販売等の情報を対応付ける手段、として機能させる広告提供制御プログラムとして構成することができる。
【発明の効果】
【００１２】
本発明の広告提供装置にあっては、顧客対面機器の利用者に対して過去の販売等の履歴に応じた適切な広告を表示することができる。
【発明を実施するための最良の形態】
【００１３】
以下、本発明の好適な実施形態につき説明する。
【００１４】
<システム構成>
図１は本発明の一実施形態にかかるシステムの構成例を示す図である。
【００１５】
図１において、路上等に設置される顧客対面機器としての自動販売機１Ａには、防犯カメラ２Ａが設けられていて利用者Ｕの姿態を撮影するようになっているとともに、液晶パネル等の広告表示部３Ａが設けられている。
【００１６】
コンビニエンスストア等に設置される顧客対面機器としてのＰＯＳレジスタ１Ｂには、防犯カメラ２Ｂが設けられていて利用者Ｕの姿態を撮影するようになっているとともに、液晶パネル等の広告表示部３Ｂが設けられている。
【００１７】
パチンコホール等に設置される顧客対面機器としてのパチンコ機１Ｃには、防犯カメラ２Ｃが設けられていて利用者Ｕの姿態を撮影するようになっているとともに、液晶パネル等の広告表示部３Ｃが設けられている。また、同パチンコホール等に設置される顧客対面機器としての景品精算機１Ｄには、防犯カメラ２Ｄが設けられていて利用者Ｕの姿態を撮影するようになっている。なお、景品精算機１Ｄに広告表示部を設けてもよい。
【００１８】
一方、防犯カメラ２Ａ〜２Ｄで撮影された画像情報は防犯カメラ画像サーバ４に集められ、防犯カメラ画像サーバ４から広告提供サーバ６に配信されるようになっている。なお、防犯カメラ画像サーバ４は、防犯カメラ２Ａ〜２Ｄの管理組織が異なる場合は複数存在することもあり得る。また、防犯カメラ２Ａ〜２Ｄで撮影された画像情報は、防犯カメラ画像サーバ４側でカメラの設置場所と撮影日時を特定できる情報を付加するか、あるいは防犯カメラ２Ａ〜２Ｄから出力される画像情報自体にカメラの設置場所と撮影日時を特定できる情報を含んでいるものとする。
【００１９】
自動販売機１Ａ、ＰＯＳレジスタ１Ｂ、パチンコ機１Ｃ、景品精算機１Ｄは、販売や景品交換の情報がリアルタイムに販売等管理サーバ５に収集されるようになっており、販売等管理サーバ５から広告提供サーバ６に配信されるようになっている。なお、販売等管理サーバ５は、自動販売機１Ａ、ＰＯＳレジスタ１Ｂ、パチンコ機１Ｃ、景品精算機１Ｄの管理組織が異なる場合は複数存在することもあり得る。
【００２０】
自動販売機１Ａ、ＰＯＳレジスタ１Ｂ、パチンコ機１Ｃの広告表示部３Ａ〜３Ｃには、広告提供サーバ６から文字、静止画像、動画等の広告情報が提供されるようになっている。
【００２１】
広告提供サーバ６は、防犯カメラ画像サーバ４から画像を取り込む画像取り込み部６０１と、取り込んだ画像からリアルタイムに顔画像を抽出し、抽出した顔画像を設置場所と撮影日時を特定できる情報とともに顔画像一時保存部６１１に一時的に保存する顔画像抽出部６０２とを備えている。
【００２２】
また、広告提供サーバ６は、販売等管理サーバ５から販売等情報を取り込む販売等情報取り込み部６０３と、取り込んだ販売等情報の設置場所および日時の情報から顔画像一時保存部６１１に一時保存された顔画像の特定を行う顔画像特定部６０４と、特定された顔画像を設置場所、日時、販売等情報とともに顔画像ＤＢ６１２に登録する顔画像等登録部６０５とを備えている。
【００２３】
また、広告提供サーバ６は、顔画像抽出部６０２で抽出された顔画像をリアルタイムに顔画像ＤＢ６１２に登録された顔画像とマッチングを行う顔画像マッチング部６０６と、マッチングにより特定された顔画像の販売等情報に基づいて広告マッチングＤＢ６１３により効果的な広告のマッチングを行う広告マッチング部６０７と、マッチングにより特定された広告ＩＤに基づいて広告ＤＢ６１４から広告内容（文字、静止画像、動画等の広告情報）を取得して広告表示部３Ａ〜３Ｃに提供して表示させる広告提供部６０８とを備えている。
【００２４】
図２は顔画像一時保存部６１１のデータ構造例を示す図であり、「顔画像ＩＤ」「顔画像データ（ファイルパス）」「設置場所ＩＤ」「撮影時刻」等のフィールドを有している。
【００２５】
図３は顔画像ＤＢ６１２のデータ構造例を示す図であり、「顔画像ＩＤ」「顔画像データ（ファイルパス）」「設置場所ＩＤ」「撮影時刻」「販売等情報」等のフィールドを有している。
【００２６】
図４は広告マッチングＤＢ６１３のデータ構造例を示す図であり、「販売等情報」「広告ＩＤ」等のフィールドを有している。
【００２７】
図５は広告ＤＢ６１４のデータ構造例を示す図であり、「広告ＩＤ」「広告データ（ファイルパス）」等のフィールドを有している。
【００２８】
<動作>
図６は上記の実施形態の処理例を示すシーケンス図である。
【００２９】
図６において、利用者Ｕが自動販売機１Ａの前に立つと、防犯カメラ２Ａは利用者Ｕの姿態を撮影し、その画像情報を防犯カメラ画像サーバ４に送り（ステップＳ１０１）、同画像情報は防犯カメラ画像サーバ４から広告提供サーバ６に提供される（ステップＳ１０２）。防犯カメラ画像サーバ４から広告提供サーバ６に提供される画像情報には、カメラ設置場所ＩＤと撮影日時の情報が含まれている。
【００３０】
広告提供サーバ６では、画像取り込み部６０１により画像情報を受信し、顔画像抽出部６０２により顔画像を抽出し（ステップＳ１０３）、抽出した顔画像にＩＤを付し、顔画像一時保存部６１１に顔画像ＩＤ、顔画像データ、カメラ設置場所ＩＤ、撮影時刻を一時保存する（ステップＳ１０４）。なお、一時保存されたデータは所定時間の経過後に自動的に消去される。
【００３１】
上記の処理と並行して、顔画像マッチング部６０６により、顔画像抽出部６０２で抽出された顔画像を顔画像ＤＢ６１２に登録された顔画像とマッチングを行い（ステップＳ１０５）、マッチングにより顔画像が特定された場合は、広告マッチング部６０７により顔画像に付随する販売等情報に基づいて広告マッチングＤＢ６１３により広告のマッチングを行う（ステップＳ１０６）。
【００３２】
そして、広告提供部６０８により、マッチングにより特定された広告ＩＤに基づいて広告ＤＢ６１４から広告内容を取得して自動販売機１Ａの広告表示部３Ａに提供し（ステップＳ１０７）、提供された広告に切替表示させる（ステップＳ１０８）。
【００３３】
利用者Ｕの顔画像の登録がない場合は、顔画像のマッチング（ステップＳ１０５）では無効な結果となり、広告のマッチング（ステップＳ１０６）ではデフォルトの広告を取得する。
【００３４】
その後、利用者Ｕが自動販売機１Ａで商品の購入（自動販売機１Ａから見れば商品の販売）を行うと（ステップＳ１０９）、自動販売機１Ａは販売した商品の種類・数等を含む販売等情報を販売等管理サーバ５に送り（ステップＳ１１０）、同販売等情報は販売等管理サーバ５から広告提供サーバ６に提供される（ステップＳ１１１）。
【００３５】
広告提供サーバ６では、販売等情報取り込み部６０３により販売等情報を受信し、顔画像特定部６０４により販売等情報の設置場所ＩＤおよび撮影日時から顔画像一時保存部６１１に一時保存された顔画像の特定を行う（ステップＳ１１２）。
【００３６】
そして、特定された顔画像ＩＤ、顔画像データ、設置場所ＩＤ、撮影時刻に販売等情報を付加して顔画像ＤＢ６１２に登録（本登録）する（ステップＳ１１３）。なお、顔画像一時保存部６１１の対応するデータはその時点で消去してもよいし、所定時間後の自動消去を待ってもよい。
【００３７】
これにより、利用者Ｕが再び自動販売機１Ａあるいは本システムの下にある他の顧客対面機器の前に立った場合は、上述したのと同様の処理（ステップＳ１０１〜Ｓ１０８）により、利用者Ｕの過去の購入等の履歴に適合した広告が利用者Ｕに向けて表示されることになる。
【００３８】
図７は上記の実施形態の他の処理例を示すシーケンス図であり、パチンコ機１Ｃと景品精算機１Ｄについての処理例である。
【００３９】
図７において、利用者Ｕがパチンコ機１Ｃの前でプレイを行うと、防犯カメラ２Ｃは利用者Ｕの姿態を撮影し、その画像情報を防犯カメラ画像サーバ４に送り（ステップＳ２０１）、同画像情報は防犯カメラ画像サーバ４から広告提供サーバ６に提供される（ステップＳ２０２）。防犯カメラ画像サーバ４から広告提供サーバ６に提供される画像情報には、カメラ設置場所ＩＤと撮影日時の情報が含まれている。
【００４０】
広告提供サーバ６では、画像取り込み部６０１により画像情報を受信し、顔画像抽出部６０２により顔画像を抽出し（ステップＳ２０３）、抽出した顔画像にＩＤを付し、顔画像一時保存部６１１に顔画像ＩＤ、顔画像データ、カメラ設置場所ＩＤ、撮影時刻を一時保存する（ステップＳ２０４）。なお、一時保存されたデータは所定時間の経過後に自動的に消去される。
【００４１】
上記の処理と並行して、顔画像マッチング部６０６により、顔画像抽出部６０２で抽出された顔画像を顔画像ＤＢ６１２に登録された顔画像とマッチングを行い（ステップＳ２０５）、マッチングにより顔画像が特定された場合は、広告マッチング部６０７により顔画像に付随する販売等情報に基づいて広告マッチングＤＢ６１３により広告のマッチングを行う（ステップＳ２０６）。
【００４２】
そして、広告提供部６０８により、マッチングにより特定された広告ＩＤに基づいて広告ＤＢ６１４から広告内容を取得してパチンコ機１Ｃの広告表示部３Ｃに提供し（ステップＳ２０７）、提供された広告に切替表示させる（ステップＳ２０８）。
【００４３】
利用者Ｕの顔画像の登録がない場合は、顔画像のマッチング（ステップＳ２０５）では無効な結果となり、広告のマッチング（ステップＳ２０６）ではデフォルトの広告を取得する。
【００４４】
その後、利用者Ｕがプレイを終え、パチンコ機１Ｃを離れて景品交換所に移動し、景品精算機１Ｄの前に立つと、防犯カメラ２Ｄは利用者Ｕの姿態を撮影し、その画像情報を防犯カメラ画像サーバ４に送り（ステップＳ２０９）、同画像情報は防犯カメラ画像サーバ４から広告提供サーバ６に提供される（ステップＳ２１０）。防犯カメラ画像サーバ４から広告提供サーバ６に提供される画像情報には、カメラ設置場所ＩＤと撮影日時の情報が含まれている。
【００４５】
広告提供サーバ６では、画像取り込み部６０１により画像情報を受信し、顔画像抽出部６０２により顔画像を抽出し（ステップＳ２１１）、抽出した顔画像にＩＤを付し、顔画像一時保存部６１１に顔画像ＩＤ、顔画像データ、カメラ設置場所ＩＤ、撮影時刻を一時保存する（ステップＳ２１２）。なお、一時保存されたデータは所定時間の経過後に自動的に消去される。
【００４６】
その後、利用者Ｕが景品の交換を行い、パチンコホールの担当者が景品精算機１Ｄを操作して景品の交換を記録すると（ステップＳ２１３）、景品精算機１Ｄは交換した景品の種類・数等を含む販売等情報を販売等管理サーバ５に送り（ステップＳ２１４）、同販売等情報は販売等管理サーバ５から広告提供サーバ６に提供される（ステップＳ２１５）。
【００４７】
広告提供サーバ６では、販売等情報取り込み部６０３により販売等情報を受信し、顔画像特定部６０４により販売等情報の設置場所ＩＤおよび撮影日時から顔画像一時保存部６１１に一時保存された顔画像の特定を行う（ステップＳ２１６）。
【００４８】
そして、特定された顔画像ＩＤ、顔画像データ、設置場所ＩＤ、撮影時刻に販売等情報を付加して顔画像ＤＢ６１２に登録（本登録）する（ステップＳ２１７）。なお、顔画像一時保存部６１１の対応するデータはその時点で消去してもよいし、所定時間後の自動消去を待ってもよい。
【００４９】
これにより、利用者Ｕが再びパチンコ機１Ｃあるいは本システムの下にある他の顧客対面機器の前に立った場合は、上述したのと同様の処理（ステップＳ２０１〜Ｓ２０８）により、利用者Ｕの過去の景品等の履歴に適合した広告が利用者Ｕに向けて表示されることになる。
【００５０】
<総括>
以上説明したように、本発明の実施形態にあっては、次のような利点がある。
（１）購入等の履歴のある利用者に対して相応しい広告を表示することができるため、広告効果を高めることができる。
（２）既存の防犯カメラのシステムから顔画像を取得できるため、莫大な設備投資を行うことがなく実施が行える。
（３）過去の購入等を行った人物と同一であるか否かを判定するのみで、個人を特定するものではないため、事前のユーザ登録等が不要であり、全ての利用者を対象とすることができる。
【００５１】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００５２】
【図１】本発明の一実施形態にかかるシステムの構成例を示す図である。
【図２】顔画像一時保存部のデータ構造例を示す図である。
【図３】顔画像ＤＢのデータ構造例を示す図である。
【図４】広告マッチングＤＢのデータ構造例を示す図である。
【図５】広告ＤＢのデータ構造例を示す図である。
【図６】実施形態の処理例を示すシーケンス図（その１）である。
【図７】実施形態の処理例を示すシーケンス図（その２）である。
【符号の説明】
【００５３】
Ｕ            利用者
１Ａ          自動販売機
１Ｂ          ＰＯＳレジスタ
１Ｃ          パチンコ機
１Ｄ          景品精算機
２Ａ〜２Ｄ    防犯カメラ
３Ａ〜３Ｃ    広告表示部
４            防犯カメラ画像サーバ
５            販売等管理サーバ
６            広告提供サーバ
６０１        画像取り込み部
６０２        顔画像抽出部
６０３        販売等情報取り込み部
６０４        顔画像特定部
６０５        顔画像等登録部
６０６        顔画像マッチング部
６０７        広告マッチング部
６０８        広告提供部
６１１        顔画像一時保存部
６１２        顔画像ＤＢ
６１３        広告マッチングＤＢ
６１４        広告ＤＢ
【図１】
2008217458.tif 000003
【図２】
2008217458.tif 000004
【図３】
2008217458.tif 000005
【図４】
2008217458.tif 000006
【図５】
2008217458.tif 000007
【図６】
2008217458.tif 000008
【図７】
2008217458.tif 000009